【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
符号化されたコンピュータ実行可能命令を有するコンピュータ読取り可能媒体であって、前記コンピュータ実行可能命令は、コンピュータによって実行された場合に、
特定のメイン・ビデオストリーム伝送に対応するリードイン・ビデオストリームを選択すること、
前記選択されたリードイン・ビデオストリーム伝送を受信すること、
前記選択されたリードイン・ビデオストリーム伝送のコンテンツのプレゼンテーションを提供すること、
前記リードインから前記メイン・ビデオストリーム伝送に受信を切り替えること、および
前記リードインのコンテンツから前記メイン・ビデオストリーム伝送のコンテンツにプレゼンテーションを切り替えること、
備える方法を実行し、
前記選択されたリードイン・ビデオストリーム伝送は、前記メイン・ビデオストリーム伝送の１つのｇｒｏｕｐ−ｏｆ−ｐｉｃｔｕｒｅｓ（ＧＯＰ）のスケジュールされた伝送期間に伝送するようにスケジュールされ、ＧＯＰは、一つのアクセス・ポイントだけ有することを特徴とするコンピュータ読取り可能媒体。
【請求項２】
前記選択することにおける選択されるリードイン・ビデオストリームは、複数のリードイン・ビデオストリームのうちの１つから選択されることを特徴とする請求項１に記載のコンピュータ読取り可能媒体。
【請求項３】
前記切り替えることは、前記メイン・ビデオストリーム伝送中に伝送されるアクセス・ポイントの生起時点あるいはその周辺で行われることを特徴とする請求項１に記載のコンピュータ読取り可能媒体。
【請求項４】
前記切り替えることは、前記メイン・ビデオストリーム伝送中に伝送されるアクセス・ポイントの生起直前に行われることを特徴とする請求項１に記載のコンピュータ読取り可能媒体。
【請求項５】
前記複数のリードイン・ビデオストリーム伝送のうちのいずれが使用可能ＲＡＰを備えた最初の伝送であるかを識別するようにビデオストリーム・プロバイダに要求する、ビデオストリーム・プロバイダへの、照会を行うことをさらに備え、前記識別されるリードイン・ビデオストリーム伝送は前記選択されるリードイン・ビデオストリーム伝送であることを特徴とする請求項１に記載のコンピュータ読取り可能媒体。
【請求項６】
複数のリードイン・ビデオストリーム伝送が、前記メイン・ビデオストリーム伝送の１つのｇｒｏｕｐ−ｏｆ−ｐｉｃｔｕｒｅｓ（ＧＯＰ）の伝送期間内に伝送するようにスケジュールされ、ＧＯＰはアクセス・ポイントを１つだけ有するものであることを特徴とする請求項１に記載のコンピュータ読取り可能媒体。
【請求項７】
複数のリードイン・ビデオストリーム伝送のそれぞれのアクセス・ポイントは、それぞれが互いに相対的に位相がずらされた伝送としてスケジュールされることを特徴とする請求項１に記載のコンピュータ読取り可能媒体。
【請求項８】
前記複数のリードイン・ビデオストリーム伝送のそれぞれは、前記メイン・ビデオストリーム伝送によって使用されるよりも低いビットレートを使用して符号化されることを特徴とする請求項１に記載のコンピュータ読取り可能媒体。
【請求項９】
前記ビデオストリーム伝送はマルチキャストであることを特徴とする請求項１に記載のコンピュータ読取り可能媒体。
【請求項１０】
ビデオストリーム・プレゼンテーション・デバイスと、
請求項１に記載のコンピュータ読取り可能媒体と
を備えることを特徴とするコンピューティング・デバイス。
【請求項１１】
符号化されたコンピュータ実行可能命令を有するコンピュータ読取り可能媒体であって、前記コンピュータ実行可能命令は、コンピュータによって実行された場合に、
受信およびプレゼンテーションのために特定のメイン・ビデオストリーム伝送を選択すること、
前記メイン・ビデオストリーム伝送中に伝送される次のアクセス・ポイントの伝送の前に、前記特定のメイン・ビデオストリーム伝送に対応するリードイン・ビデオストリームを一時的に受信すること、および
前記リードイン・ビデオストリームから前記メイン・ビデオストリーム伝送に受信を切り替えること、
を備える方法を実行し、
前記リードイン・ビデオストリーム伝送は、前記メイン・ビデオストリーム伝送の１つのｇｒｏｕｐ−ｏｆ−ｐｉｃｔｕｒｅｓ（ＧＯＰ）の伝送期間に伝送するようにスケジュールされ、ＧＯＰは一つのアクセス・ポイントだけ有することを特徴とするコンピュータ読取り可能媒体。
【請求項１２】
前記リードイン・ビデオストリーム伝送のコンテンツのプレゼンテーションを提供すること、および
前記メイン・ビデオストリームに受信を切り替えた後に、前記メイン・ビデオストリーム伝送のコンテンツのプレゼンテーションを提供すること、
をさらに備えることを特徴とする請求項１１に記載のコンピュータ読取り可能媒体。
【請求項１３】
前記切り替えることは、前記メイン・ビデオストリーム伝送中のアクセス・ポイントの伝送時点またはその周辺で実行されることを特徴とする請求項１１に記載のコンピュータ読取り可能媒体。
【請求項１４】
前記切り替えることは、前記メイン・ビデオストリーム伝送中に生じる次のアクセス・ポイントの伝送時点またはその周辺で実行されることを特徴とする請求項１１に記載のコンピュータ読取り可能媒体。
【請求項１５】
前記複数のリードイン・ビデオストリーム伝送のそれぞれは、前記メイン・ビデオストリーム伝送によって使用されるよりも低いビットレートを使用して符号化されることを特徴とする請求項１１に記載のコンピュータ読取り可能媒体。
【請求項１６】
前記ビデオストリーム伝送はマルチキャストであることを特徴とする請求項１１に記載のコンピュータ読取り可能媒体。
【請求項１７】
ビデオストリーム・プレゼンテーション・デバイスと、
請求項１１に記載のコンピュータ読取り可能媒体と
を備えることを特徴とするコンピューティング・デバイス。
【請求項１８】
それぞれが特定のメイン・ビデオストリーム伝送に対応する複数のリードイン・ビデオストリーム伝送のうちの１つを、受信するために選択し、前記選択された１つのリードイン・ビデオストリーム伝送を一時的に受信すること、
前記選択されたリードイン・ビデオストリーム伝送のコンテンツのプレゼンテーションを提供すること、
前記リードイン・ビデオストリームから前記メイン・ビデオストリーム伝送に受信を切り替えることであって、前記メイン・ビデオストリーム伝送中に伝送されるアクセス・ポイントの生起時点またはその周辺で切り替えることを実行すること、および
前記リードイン・ビデオストリームのコンテンツから前記メイン・ビデオストリーム伝送のコンテンツにプレゼンテーションを切り替えること、
をさらに備えることを特徴とする請求項１１に記載のコンピュータ読取り可能媒体。
【請求項１９】
前記複数のリードイン・ビデオストリーム伝送のうちのいずれが使用可能なアンカー・フレームを備えた最初の伝送であるかを識別するようにビデオストリーム・プロバイダに要求する、ビデオストリーム・プロバイダへの、照会を行うことをさらに備え、前記識別されるリードイン・ビデオストリーム伝送は前記選択されるリードイン・ビデオストリーム伝送であることを特徴とする請求項１８に記載のコンピュータ読取り可能媒体。
【請求項２０】
前記複数のリードイン・ビデオストリーム伝送は、前記メイン・ビデオストリーム伝送の１つのｇｒｏｕｐ−ｏｆ−ｐｉｃｔｕｒｅｓ（ＧＯＰ）の伝送期間内に伝送するようにスケジュールされ、ＧＯＰはアクセス・ポイントを１つだけ有するものであることを特徴とする請求項１８に記載のコンピュータ読取り可能媒体。
【請求項２１】
複数のリードイン・ビデオストリーム伝送のそれぞれのアクセス・ポイントは、それぞれが互いに相対的に位相がずらされた伝送としてスケジュールされることを特徴とする請求項１８に記載のコンピュータ読取り可能媒体。
【請求項２２】
前記複数のリードイン・ビデオストリーム伝送のそれぞれは、前記メイン・ビデオストリーム伝送によって使用されるよりも低いビットレートを使用して符号化されることを特徴とする請求項１８に記載のコンピュータ読取り可能媒体。
【請求項２３】
高速起動プレゼンテーションのための方法であって、
それぞれが特定のメイン・ビデオストリーム伝送に対応する、複数のリードイン・ビデオストリーム伝送のうちの１つを受信のために選択すること、
前記選択されたリードイン・ビデオストリーム伝送を受信すること、
前記選択されたリードイン・ビデオストリーム伝送のコンテンツのプレゼンテーションを提供すること、
前記リードイン・ビデオストリームから前記メイン・ビデオストリーム伝送に受信を切り替えることであって、前記メイン・ビデオストリーム伝送中に伝送されるアクセス・ポイントの生起時点またはその周辺で切り替えることを実行すること、および
前記リードイン・ビデオストリームのコンテンツから前記メイン・ビデオストリーム伝送のコンテンツにプレゼンテーションを切り替えること、
を備え
前記選択されたリードイン・ビデオストリーム伝送は、前記メイン・ビデオストリーム伝送の１つのｇｒｏｕｐ−ｏｆ−ｐｉｃｔｕｒｅｓ（ＧＯＰ）のスケジュールされた伝送期間に伝送するようにスケジュールされ、ＧＯＰは、一つのアクセス・ポイントだけ有することを特徴とする方法。
【請求項２４】
前記複数のリードイン・ビデオストリーム伝送のうちのいずれが使用可能ＲＡＰを備えた最初の伝送であるかを識別するようにビデオストリーム・プロバイダに要求する、ビデオストリーム・プロバイダへの、照会を行うことをさらに備え、前記識別されるリードイン・ビデオストリーム伝送は前記選択されるリードイン・ビデオストリーム伝送であることを特徴とする請求項２３に記載の方法。
【請求項２５】
複数のリードイン・ビデオストリーム伝送が、前記メイン・ビデオストリーム伝送の１つのｇｒｏｕｐ−ｏｆ−ｐｉｃｔｕｒｅｓ（ＧＯＰ）の伝送期間内に伝送するようにスケジュールされ、ＧＯＰはアクセス・ポイントを１つだけ有するものであることを特徴とする請求項２３に記載の方法。
【請求項２６】
複数のリードイン・ビデオストリーム伝送のそれぞれのアクセス・ポイントは、それぞれが互いに相対的に位相がずらされた伝送としてスケジュールされることを特徴とする請求項２３に記載の方法。
【請求項２７】
前記複数のリードイン・ビデオストリーム伝送のそれぞれは、前記メイン・ビデオストリーム伝送によって使用されるよりも低いビットレートを使用して符号化されることを特徴とする請求項２３に記載の方法。
【請求項２８】
前記ビデオストリーム伝送はマルチキャストであることを特徴とする請求項２４に記載の方法。
【請求項２９】
符号化されたコンピュータ実行可能命令を有する１つまたは複数のコンピュータ読取り可能媒体を備えるコンピュータであって、前記コンピュータ実行可能命令は、前記コンピュータによって実行された場合に請求項２３に記載の方法を実行することを特徴とするコンピュータ。
【請求項３０】
コンピュータ実行可能命令を有するコンピュータ読取り可能媒体であって、前記コンピュータ実行可能命令は、コンピュータによって実行された場合に、
重複する伝送スケジュールに備えて同じオリジナル・ビデオ・コンテンツに基づいて複数のビデオストリームを、それぞれの前記アクセス・ポイントが位相ずらしされるように、準備すること、および
前記複数のビデオストリームのうちの１つまたは複数を、前記重複する伝送スケジュールに従って通信ネットワークを介して伝送すること、
を備える方法を実行することを特徴とするコンピュータ読取り可能媒体。
【請求項３１】
前記複数のビデオストリームのそれぞれのｇｒｏｕｐ−ｏｆ−ｐｉｃｔｕｒｅｓ（ＧＯＰ）の伝送は、前記伝送スケジュール中の同じポイント時点または周辺で終了することを特徴とする請求項３０に記載のコンピュータ読取り可能媒体。
【請求項３２】
前記複数のビデオストリームはメイン・ビデオストリームおよびリードイン・ビデオストリームを備えることを特徴とする請求項３０に記載のコンピュータ読取り可能媒体。
【請求項３３】
前記ビデオストリームのうちの１つまたは複数は、他のストリームのうちの１つまたは複数よりも低いビットレートを使用して符号化されることを特徴とする請求項３０に記載のコンピュータ読取り可能媒体。
【請求項３４】
前記複数のビデオストリームのうちの１つまたは複数を伝送するための伝送デバイスと、
請求項３０に記載のコンピュータ読取り可能媒体と
を備えることを特徴とするコンピューティング・デバイス。
【請求項３５】
前記使用可能なアクセス・ポイントは、アンカー・フレームであることを特徴とする請求項１に記載のコンピュータ読取り可能媒体。
【請求項３６】
前記一つのアクセス・ポイントは、アンカー・フレームであることを特徴とする請求項６に記載のコンピュータ読取り可能媒体。
【請求項３７】
前記複数のアクセス・ポイントは、アンカー・フレームであることを特徴とする請求項１１に記載のコンピュータ読取り可能媒体。
【請求項３８】
前記複数のアクセス・ポイントは、アンカー・フレームであることを特徴とする請求項２０に記載のコンピュータ読取り可能媒体。
【請求項３９】
前記複数のアクセス・ポイントは、アンカー・フレームであることを特徴とする請求項２３に記載の方法。
【請求項４０】
前記一つのアクセス・ポイントは、アンカー・フレームであることを特徴とする請求項２５に記載の方法。
【手続補正２】
【補正対象書類名】明細書
【補正対象項目名】００５３
【補正方法】変更
【補正の内容】
【００５３】
図３に示されるように、例示的高速起動システムは、メイン・マルチキャスト・ビデオストリーム伝送３００ｔおよび、１つまたは複数の代替マルチキャスト・リードイン・ビデオストリーム伝送（multicast lead-in video stream transmissions）（伝送３０２ｔなど）を使用して、より高速の同調時間（tuning time）を達成する。これらの代替ストリームは、メイン・ストリームと同じオリジナル・コンテンツを含むが、メイン・ストリームよりも低いビットレートを有することができる。